(57)【要約】【課題】電線、光ファイバ又はコネクタに装飾部材を装着することにより、女性の求めえている遊び心や、ファッション性を満足させる。【解決手段】屋内外に既に配線されている電線、光ファイバ９、又はそれらの端末に取り付けられたコネクタ８に着脱される装飾部材１であって、貫通孔を有する筒状に形成され、側面に一方端から他方端に至るスリット４を有する基材２と、基材２に取り付けられた装飾性を有するオプション部材３とを備え、電線、光ファイバ９又はコネクタ８が、長手方向と交差する方向から、スリット４を通じて貫通孔内に挿入可能である。【選択図】  図１
2015033816.tif 000002
【特許請求の範囲】
【請求項１】
屋内外に既に配線されている電線、光ファイバ、又はそれらの端末に取り付けられたコネクタに着脱される装飾部材であって、前記装飾部材は、貫通孔を有する筒状に形成され、側面に一方端から他方端に至るスリットを有する基材と、該基材に取り付けられた装飾性を有するオプション部材とを備え、前記電線、光ファイバ又はコネクタが、長手方向と交差する方向から、前記スリットを通じて前記貫通孔内に挿入可能であることを特徴とする装飾部材。
【請求項２】
前記基材のスリットの幅は、前記貫通孔に前記電線、光ファイバ又はコネクタが挿入されていないときには、前記電線、光ファイバ又はコネクタの外径よりも狭いことを特徴とする請求項１に記載の装飾部材。
【請求項３】
前記基材の貫通孔の内面に、長手方向に沿った少なくとも１つの仕切り壁を形成したことを特徴とする請求項１又は請求項２のいずれか１項に記載の装飾部材。
【請求項４】
前記基材に、前記基材を前記コネクタに装着したとき、前記コネクタに嵌合されるアダプタと前記基材との距離を確認する距離確認手段を設け、前記基材又はオプション部材に、前記基材と前記アダプタとの距離が予め設定された範囲より外れたとき、外れたことを知らせる告知手段を設けたことを特徴とする請求項１乃至請求項３のいずれか１項に記載の装飾部材。
【請求項５】
前記基材に、熱を感知する熱感知手段を設け、前記基材又は前記オプション部材に、前記熱感知手段で感知された温度が、予め設定された閾値を超えたとき、閾値を超えたことを知らせる告知手段を設けたことを特徴とする請求項１乃至請求項４のいずれか１項に記載の装飾部材。
【請求項６】
前記オプション部材に、子供の悪戯防止を喚起するデザインが施されたことを特徴とする請求項１乃至請求項５のいずれか１項に記載の装飾部材。
【発明の詳細な説明】
【技術分野】
【０００１】
本発明は、屋内外に既に配線されている電線、光ファイバ、又はそれらの端末に取り付けられたコネクタに関し、特に装飾性を付与するための装飾部材に関する。
【背景技術】
【０００２】
近年、ＦＴＴＨ(Fiber To The Home)の発達に伴い、専門の工事業者以外の一般人が光ファイバ、光コネクタ等の屋内外の配線に接する機会が多くなってきている。
屋内に配線される光コネクタや光アダプタの一例が特許文献１に記載されている。
【先行技術文献】
【特許文献】
【０００３】
【特許文献１】特開平８−９４８８０号公報
【発明の概要】
【発明が解決しようとする課題】
【０００４】
しかしながら、屋内外に既に配線されている電線、光ファイバ、又はそれらの端末に取り付けられたコネクタは、画一的で、デザイン性に面白みがなく、見た目の華やかさにもかけており、外観的に飽きたなどの理由により、別のものに取り替えたいと思っても、気軽に取り替えることができなかった。
【０００５】
そこで、本発明は上記問題点に鑑み為されたもので、屋内外に配線されている電線、光ファイバ、又はそれらに取り付けられたコネクタに装飾性を付与するための装飾部材を提供することを目的とし、女性の遊び心で粘着シート、宝石類により、取り付けて飾るなどファッション性を満足させようとするものである。
【課題を解決するための手段】
【０００６】
本発明の装飾部材は、屋内外に既に配線されている電線、光ファイバ、又はそれらの端末に取り付けられたコネクタに着脱される装飾部材であって、前記装飾部材は貫通孔を有する筒状に形成され、側面に一方端から他方端に至るスリットを有する基材と、基材に取り付けられた装飾性を有するオプション部材とを備え、電線、光ファイバ又はコネクタが、長手方向と交差する横方向から、スリットを通じて貫通孔内に挿入可能であることを特徴とする。
【０００７】
ここで、「装飾性」とは、対象物の外観変化(形状、模様若しくは色彩)又は告知機能(表示、動作、光、音、若しくは匂い)により、ユーザに安全で且つ楽しみ・喜び・満足(個性・オンリーワン)等のポジティブな感情を感じさせる能力をいう。
【０００８】
装飾性を有するオプション部材には、一例として、装飾性を備えた粘着シートや宝石類等がある。
【０００９】
またオプション部材として、装飾性を備えた粘着シートに、示温材のラベルやシール、ペイントを使用することで、色の変化により、明瞭に温度変化や紫外線、温度履歴を知ることができ、電気設備・電子機器の保守にも適用可能になる。
【００１０】
また、「宝石類」とは、俗にいう本物の天然宝石のみならず、人工的に作られた合成宝石や模造宝石等を含んだ総称である。
【００１１】
本発明において、「基材」、「オプション部材」は、単なる部位の呼称であって、それぞれが、必ずしも分割されていることを意味するものではなく、一体成形品であっても構わない。また、「オプション部材」は装飾性を有する部材の総称であって、一つの基材に複数のオプション部材があってもかまわない。
【００１２】
また、本発明において、「電線」は、被覆電線又はケーブル等の総称であって、電力用、通信用を問わない。また、「光ファイバ」は、光ファイバ心線、光ファイバテープ心線、光ファイバコード、又は光ファイバケーブル等の総称である。「コネクタ」は、電線用、光ファイバ用、又はそれらの複合のコネクタの総称である。
【００１３】
本発明の装飾部材において、基材のスリットの幅は、貫通孔に電線、光ファイバ又はコネクタが挿入されていないときには、電線、光ファイバ又はコネクタの外径よりも狭く設定されている。スリットの幅は、ゼロ(即ち「閉じた状態」をいう。)であっても構わない。
【００１４】
本発明の装飾部材を、屋内外に既に配線されている電線又は光ファイバに取り付ける場合には、基材のスリット部分を広げながら、長手方向と交差する横方向から、電線または光ファイバを貫通孔内に挿入すればよい。
【００１５】
本発明の装飾部材を屋内外に既に配線されているコネクタに取り付けたい場合には、長手方向と交差する横方向から、まず、電線又は光ファイバを基材の貫通孔内に挿入した後、装飾部材を長手方向に移動し、長手方向から、基材の貫通孔内にコネクタを挿入するのが望ましい。
【００１６】
スリット部にコネクタの横方向から、基材の貫通孔内に直接挿入することもできるが、通常は、コネクタの外径は、電線または光ファイバの外径より大きいので、まず電線または光ファイバを横方向から挿入して、その後長手方向に移動する方が容易となることが多い。
【００１７】
本発明の装飾部材においては、基材の貫通孔の内面に、長手方向に沿った少なくとも１つの仕切り壁を形成してもよい。
これにより、複数本の前記電線、光ファイバ又はコネクタに対して、本発明の装飾部材を装着することができる。
【００１８】
本発明の装飾部材においては、基材に、基材をコネクタに装着したとき、コネクタに勘合されるアダプタと基材との距離を確認する距離確認手段を設け、基材又はオプション部材に、基材とアダプタとの距離が予め設定された範囲より外れたとき、外れたことを知らせる告知手段を設けてもよい。
【００１９】
本発明の装飾部材においては、基材に熱を感知する熱感知手段を設け、基材又はオプション部材に、熱感知手段で感知された温度が、予め設定された閾値を超えたとき、閾値を超えたことを知らせる告知手段を設けてもよい。
【００２０】
本発明の装飾部材においては、オプション部材に、子供の悪戯防止を喚起するデザインが施されてもよい。
【発明の効果】
【００２１】
本発明によれば、屋内外に既に配線されている電線、光ファイバ又はそれらの端末に取り付けられたコネクタに、キャラクターや複数の宝石類等の装飾性を備えた装飾部材を装着することにより、女性の求めえている遊び心や、ファッション性を満足させることができる。
【図面の簡単な説明】
【００２２】
【図１】本発明の第１の実施例に係る装飾部材である。
【図２】本発明の第１の実施例に係る装飾部材の基材である。
【図３】本発明の第１の実施例に係る装飾部材に、コネクタ及びアダプタを装着した図である。
【図４】本発明の第２の実施例に係る装飾部材である。
【図５】本発明の第２の実施例に係る装飾部材の基材である。
【図６】本発明の第２の実施例に係る装飾部材の基材の変形例である。
【図７】本発明の第２の実施例に係る装飾部材の基材の変形例に、コネクタ及びアダプタを装着した図である。
【図８】本発明の第３の実施例に係る装飾部材である。
【図９】本発明の第３の実施例に係る装飾部材のオプション部材である。
【図１０】本発明の第３の実施例に係る装飾部材に、コネクタ及びアダプタを装着した図である。
【図１１】本発明の第４の実施例に係る装飾部材である。
【発明を実施するための形態】
【００２３】
以下、本発明の実施形態について、図１から図１１を参照して詳細に説明する。
【００２４】
（実施例１）
図１は、本発明の装飾部材に係る第１の実施例を示す。
第１の実施例では、装飾部材１は、貫通孔を有する筒状の基材２と装飾性を有する装飾具を備えたオプション部材３とで構成されている。
【００２５】
基材２の内形は、矩形のコネクタプラグに嵌入可能な貫通孔を有する筒状に仕上げられており、基材の側面には一方端から他方端に至るスリット４を有している。
【００２６】
本実施例１では、基材２は、熱可塑性エラストマーで形成されている。
熱可塑性エラストマーは、他のプラスチックと比較して、柔軟性と加工性に優れており、本発明のように、スリットを広げて、電線または光ファイバを貫通孔内に挿入しようとするときには、好適な構成材料の一つである。
【００２７】
本発明の基材２を構成する材料としては、形状記憶性プラスチックも好適な材料の一つである。形状記憶性プラスチックとすることにより、熱と外力で変形させることができ、また、冷却して固化しても再び加熱すると、元の形に復元できるため、形状記憶性とリサイクル性の両立が可能となる。
【００２８】
また、オプション部材３の装飾性を具現化する装飾具として、本実施例１では、花を模した形状の部品が使用されているが、このような形状や、モチーフに限定される趣旨ではなく、デザイン性のある粘着シートや、宝石類、星、月、ハート、動物、植物、キャラクター、液晶ディスプレイなどであってもよい。
【００２９】
本実施例１では、装飾具の表面にＮ夜光（登録商標）畜光インキを塗って、インキ畜光機能を付与している。そのため、本発明の装飾部材は、夜間や停電時に高い視認性を発揮し、安全対策として使用できることに加え、節電対策にもなる。
【００３０】
図２は、第１の実施例における基材２の拡大図である。
本実施例１では、基材２には平坦な面５が設けられている。この平坦な面５にはオプション部材３を直接取り付けることができる。
【００３１】
基材２の両側には、基材結合部６を有している。この基材結合部６は、オプション部材３に設けられたオプション部材結合部１８（図９参照）と着脱可能な構成になっている。このため、ユーザがしばらく使用して、それまでの装飾具に飽きてしまった場合には、新しいオプション部材３と交換して、気分転換等を図ることができる。なお、着脱可能な具体例としては、磁石、マジックテープ(登録商標)、はめ込みなどがある。
【００３２】
図３は、本発明の装飾部材１を矩形のコネクタ８に装着し、さらにそのコネクタ８をアダプタ７に嵌入した例を示す。コネクタ８は、電線又は光ファイバ９の端末に取り付けられている。このとき、基材２のスリット４の幅は、電線又は光ファイバ９の外径より小さく設定されている。これにより、装飾部材１が、電線又は光ファイバ９から容易に外れたりすることはない。本発明の装飾部材１を装着するコネクタ８の形状としては、取扱性に優れた矩形状であって、汎用性のあるコネクタ８が好適である。好適なコネクタ８の例としては、日本工業規格ＪＩＳ  Ｃ８３０３に適合する差込プラグや国際電気標準会議ＩＥＣ６１７５４−４に適合するＳＣ形光コネクタ、同ＩＥＣ６１７５４−２０に適合するＬＣ形光コネクタ等がある。
【００３３】
本発明の装飾部材１を、基材２の内形よりも小さな外径の電線、光ファイバ９又はコネクタ８に装着する場合には、装着する部分の間隙に、例えば自己粘着テープ等の変形可能な緩衝材料を充填することが望ましい。これにより、装飾部材１のがたつきを抑えることが可能になるだけでなく、被装着物の外径によって必要とされる装飾部材１の内形のサイズを減らすことも可能となる。
【００３４】
（実施例２）
図４は、本発明の装飾部材１に係る第２の実施例を示す。また、図５は、第２の実施例における基材の拡大図である。
第２の実施例では、本発明の装飾部材１において、基材２に接触スイッチ１３が設けられ、接触スイッチ１３が図３のアダプタ７に接触すると、基材２の反対側に設けられた照明ランプ１６が点灯し、接触スイッチ１３がアダプタ７から離間すると、照明ランプ１６が消えるように設定されている。この照明ランプ１６を基材２ではなく、例えば、オプション部材３のキャラクターの目の部分１４に設けてもよい。
これは、例えば子供が悪戯で光コネクタ８を引っ張って、光コネクタ８と光アダプタ７との接続状態が所謂「半挿し状態」にあるか否かを告知する告知手段として有効である。なお、接触スイッチ１３は請求項４の距離確認手段に相当する。
【００３５】
基材２の内面には、凹凸部１５が設けられている。この凹凸部１５は、コネクタ８側に設けられている凹凸部に勘合して、コネクタ８との相対的な移動を防止する機能を有している。
【００３６】
図６は、第２の実施例における基材２の変形例であって、電線、光ファイバ９又はコネクタ８の長手方向に沿って、仕切り壁１１が設けられた２心用の基材１０である。また、図７は、図６の基材１０を２心のコネクタ８に装着し、さらにその２心のコネクタ８をアダプタ１２に嵌入した例を示す。
【００３７】
（実施例３）
図８は、本発明の装飾部材に係る第３の実施例を示す。
第３の実施例では、オプション部材３として、装飾性を有する取っ手１７を設けている。この取っ手１７をつけることにより、
（１）装飾部材１を長手方向に引っ張って、相手方コネクタ８から抜いたり、
（２）左右の取っ手１７を把持して離間させることで基材２のスリット４を広げて、横方向から、電線、光ファイバ９、又はコネクタ８から抜いたりする作業が容易になる。
【００３８】
図９は、第３の実施例におけるオプション部材３（取っ手１７）の拡大図である。
基材２に形成された基材結合部６と着脱可能なオプション部材結合部１８が取っ手１７に設けられている。オプション部材結合部１８の凸部は基材結合部６の凹部(溝部)に上方から挿し抜かれる。よって、取っ手１７が電線、光ファイバ９の長手方向に引っ張られても、電線、光ファイバ９左右側方に引かれても、基材結合部６とオプション部材結合部１８の結合が外れることはない。
【００３９】
図１０は、図８の装飾部材にコネクタ８を装着し、さらにコネクタ８をアダプタ７に嵌入した例を示す。
【００４０】
（実施例４）
図１１は、本発明の装飾部材に係る第４の実施例を示す。
第４の実施例では、鬼の顔全体１５が熱センサ(熱感知手段)になっており、予め設定された閾値を超えたとき、鬼の顔全体１５が赤く変化するようになっている。
これは、特に光通信において、光信号のハイパワー化の検討が進められており、ユーザが気が付かないうちに、光コネクタ８や光アダプタ７の温度が閾値を超えたことを告知する告知手段として有効である。
【００４１】
また、第４の実施例に示すような「鬼の顔１５」のデザインは、子供に恐怖心を抱かせる効果もあり、子供に近寄らせず、又、悪戯防止を喚起する場合には有効である。
【００４２】
なお、本発明は、上述した実施形態に限定されるものではなく、その要旨を逸脱しない範囲内で種々変形して実施することが可能である。例えば、装飾部材１を構成する材料は、プラスチックに限定されるものではなく、金属その他の材料でも構わない。また、スリット４の幅も、最小はゼロを含み、最大は適宜設計で決定されるものである。
【符号の説明】
【００４３】
１  装飾部材
２  基材オプション部材(花)
３  オプション部材(花)
４  スリット
５  基材の平坦面
６  基材の結合部
７  アダプタ
８  コネクタプラグ
９  電線又は光ファイバ
１０  基材（２心用）
１１  仕切り壁
１２  アダプタ（２心用）
１３  接触スイッチ
１４  第２の実施例における告知部（キャラクターの目）
１５  突起
１６  照明ランプ
１７  第３の実施例におけるオプション部材（取っ手）
１８  第３の実施例におけるオプション部材の結合部
１９  第４の実施例における告知部（鬼の顔全体）
【図１】
2015033816.tif 000003
【図２】
2015033816.tif 000004
【図３】
2015033816.tif 000005
【図４】
2015033816.tif 000006
【図５】
2015033816.tif 000007
【図６】
2015033816.tif 000008
【図７】
2015033816.tif 000009
【図８】
2015033816.tif 000010
【図９】
2015033816.tif 000011
【図１０】
2015033816.tif 000012
【図１１】
2015033816.tif 000013